(57)【要約】【課題】せん断補強が施された構造鉄筋を備え、かつ、現場で構造鉄筋を容易に組み立てることができて現場での施工性に優れた、鉄筋コンクリート版を得る。【解決手段】主鉄筋１１，１２及び配力鉄筋２１，２２を有し、かつ、せん断補強が施された構造鉄筋と、この構造鉄筋を包含するように打設されたコンクリート３０とを備えた鉄筋コンクリート版であって、主鉄筋１１，１２にせん断補強を施してなる多数の主鉄筋用ラチストラス鉄筋１０と配力鉄筋２１，２２にせん断補強を施してなる多数の配力鉄筋用ラチストラス鉄筋２０とを、並列配置されている主鉄筋用ラチストラス鉄筋１０に該各主鉄筋用ラチストラス鉄筋の開口部を通るように配力筋用ラチストラス鉄筋２０を該配力筋用ラチストラス鉄筋全長にわたって貫き通した状態で、格子状に交差させることにより、構造鉄筋が構成されている。【選択図】図４
2010101044.tif 000002
【特許請求の範囲】
【請求項１】
主鉄筋及び配力鉄筋を有し、せん断補強が施された構造鉄筋と、この構造鉄筋を包含するように打設されたコンクリートとを備えた鉄筋コンクリート版であって、
前記構造鉄筋が、多数の主鉄筋用ラチストラス鉄筋と多数の配力鉄筋用ラチストラス鉄筋とを格子状に交差させて配置し、十字に交差する各交点を接合して構成されており、
前記多数の主鉄筋用ラチストラス鉄筋の各々が、直線状をなして上下に平行配置された圧縮主鉄筋及び引張主鉄筋と、この圧縮主鉄筋と引張主鉄筋とを交互に結ぶように連続波型状に形成されて延びる主筋用ラチス鉄筋とによって構成されるとともに、前記多数の配力鉄筋用ラチストラス鉄筋の各々が、直線状をなして上下に平行配置された圧縮配力鉄筋及び引張配力鉄筋と、この圧縮配力鉄筋と引張配力鉄筋とを交互に結ぶように連続波型状に形成されて延びる配力筋用ラチス鉄筋とによって構成されており、
かつ、前記多数の主鉄筋用ラチストラス鉄筋と前記多数の配力筋用ラチストラス鉄筋とが、並列配置されている主鉄筋用ラチストラス鉄筋に該各主鉄筋用ラチストラス鉄筋の開口部を通るように配力筋用ラチストラス鉄筋を配力筋用ラチストラス鉄筋全長にわたって貫き通した状態で、格子状に交差させて配置されていること、
を特徴とする鉄筋コンクリート版。
【請求項２】
前記鉄筋コンクリート版が床版として用いられるものであることを特徴とする請求項１記載の鉄筋コンクリート版。
【発明の詳細な説明】
【技術分野】
【０００１】
本発明は、構造鉄筋とこの構造鉄筋を包含するように打設されたコンクリートとを備えてなる鉄筋コンクリート版に関するものである。
【背景技術】
【０００２】
周知のように、鉄筋コンクリート版は、構造鉄筋と、この構造鉄筋を包含するように打設されたコンクリートとを備えたものである。図６は従来の鉄筋コンクリート版の構造鉄筋を示す平面図、図７は図６の構造鉄筋のＡ矢視正面図である。
【０００３】
図６に示すように、従来の鉄筋コンクリート版の構造鉄筋は、直交する縦横二方向のうち一方の方向に延び、互いに平行をなす多数の主鉄筋５０と、前記縦横二方向のうち他方の方向に延び、互いに平行をなす多数の配力鉄筋６０とを、格子状に配置し、十字に交差する各交点を溶接によって接合して構成されている。
【０００４】
そして、図７に示すように、多数の前記主鉄筋５０のそれぞれは、直線状をなして上下に平行配置された上側の圧縮主鉄筋５１と下側の引張主鉄筋５２によって構成されており、また、多数の前記配力鉄筋６０のそれぞれは、直線状をなして上下に平行配置された上側の圧縮配力鉄筋６１及び下側の引張配力鉄筋６２によって構成されている。これらの主鉄筋５０と配力鉄筋６０は、曲げに対して抵抗する鉄筋である。７０は、縦横に格子状に配置されたこれらの主鉄筋５０と配力鉄筋６０とを備えた構造鉄筋を包含するように打設されるコンクリートである。
【０００５】
このように、一般に、鉄筋コンクリート版には、コンクリート梁とは違って、面外方向（厚み方向）に作用するせん断力に対するせん断補強鉄筋が備えられていることはほとんどない。
【０００６】
せん断補強が施された鉄筋コンクリート版については、現状では、格子状に配置された主鉄筋と配力鉄筋との交差位置に現場での手作業によってせん断補強鉄筋を取り付けるようになされており（特開２００６−２８３２８７号公報、図１１）、多大の手間がかかるため、現場での施工性に優れた鉄筋コンクリート版が要望されている。
【特許文献１】特開２００６−２８３２８７号公報（図１１）
【発明の開示】
【発明が解決しようとする課題】
【０００７】
そこで、本発明の課題は、せん断補強が施された構造鉄筋を備え、かつ、現場で構造鉄筋を容易に組み立てることができて現場での施工性に優れた、鉄筋コンクリート版を提供することにある。
【課題を解決するための手段】
【０００８】
前記の課題を解決するため、本願発明では、次の技術的手段を講じている。
【０００９】
請求項１の発明は、主鉄筋及び配力鉄筋を有し、せん断補強が施された構造鉄筋と、この構造鉄筋を包含するように打設されたコンクリートとを備えた鉄筋コンクリート版であって、前記構造鉄筋が、多数の主鉄筋用ラチストラス鉄筋と多数の配力鉄筋用ラチストラス鉄筋とを格子状に交差させて配置し、十字に交差する各交点を接合して構成されており、前記多数の主鉄筋用ラチストラス鉄筋の各々が、直線状をなして上下に平行配置された圧縮主鉄筋及び引張主鉄筋と、この圧縮主鉄筋と引張主鉄筋とを交互に結ぶように連続波型状に形成されて延びる主筋用ラチス鉄筋とによって構成されるとともに、前記多数の配力鉄筋用ラチストラス鉄筋の各々が、直線状をなして上下に平行配置された圧縮配力鉄筋及び引張配力鉄筋と、この圧縮配力鉄筋と引張配力鉄筋とを交互に結ぶように連続波型状に形成されて延びる配力筋用ラチス鉄筋とによって構成されており、かつ、前記多数の主鉄筋用ラチストラス鉄筋と前記多数の配力筋用ラチストラス鉄筋とが、並列配置されている主鉄筋用ラチストラス鉄筋に該各主鉄筋用ラチストラス鉄筋の開口部を通るように配力筋用ラチストラス鉄筋を配力筋用ラチストラス鉄筋全長にわたって貫き通した状態で、格子状に交差させて配置されていること、を特徴とする鉄筋コンクリート版である。
【００１０】
請求項２の発明は、請求項１記載の鉄筋コンクリート版において、前記鉄筋コンクリート版が床版として用いられるものであることを特徴とするものである。
【発明の効果】
【００１１】
本発明の鉄筋コンクリート版は、主鉄筋にせん断補強を施してなる多数の主鉄筋用ラチストラス鉄筋と配力鉄筋にせん断補強を施してなる多数の配力鉄筋用ラチストラス鉄筋とを備え、これら多数の主鉄筋用ラチストラス鉄筋と多数の配力鉄筋用ラチストラス鉄筋とを、並列配置されている主鉄筋用ラチストラス鉄筋に該各主鉄筋用ラチストラス鉄筋の開口部を通るように配力筋用ラチストラス鉄筋を該配力筋用ラチストラス鉄筋全長にわたって貫き通した状態で、格子状に交差させることにより、構造鉄筋を構成するようにしている。よって、本発明によれば、予め、工場で主鉄筋用ラチストラス鉄筋及び配力鉄筋用ラチストラス鉄筋を製作しておき、これらを用いることにより、現場にて、せん断補強が施された構造鉄筋を容易に組み立てることができ、せん断補強が施された構造鉄筋を備え、かつ、現場での施工性に優れた、鉄筋コンクリート版を提供することができる。
【発明を実施するための最良の形態】
【００１２】
以下、図面を参照して、本発明の実施形態について説明する。
【００１３】
図１は本発明の一実施形態による鉄筋コンクリート版の構造鉄筋を示す平面図である。
【００１４】
本実施形態による鉄筋コンクリート版は、構造鉄筋と、この構造鉄筋を包含するように打設されるコンクリート３０とを備えたものである。本実施形態による鉄筋コンクリート版の構造鉄筋は、図１に示すように、直交する縦横二方向のうち一方の方向（図例では図１における横方向）に延び、互いに平行をなす多数の主鉄筋用ラチストラス鉄筋１０と、前記縦横二方向のうち他方の方向（図例では図１における縦方向）に延び、互いに平行をなす多数の配力鉄筋用ラチストラス鉄筋２０とを、格子状に配置し、十字に交差する各交点を溶接によって接合して構成されている。
【００１５】
図２は図１における主鉄筋用ラチストラス鉄筋の正面図である。
【００１６】
図２に示すように、各主鉄筋用ラチストラス鉄筋１０は、直線状をなして上下に所要間隔で平行配置された上側の圧縮主鉄筋１１と下側の引張主鉄筋１２と、この圧縮主鉄筋１１と引張主鉄筋１２とを交互に結ぶように連続波型状に形成されて延びる主筋用ラチス鉄筋１３とによって構成されている。
【００１７】
そして、本実施形態では、主筋用ラチス鉄筋１３の上側の各頂部１３ａは、それぞれ、圧縮主鉄筋１１に該圧縮主鉄筋上部に位置するように溶接によって接合され、主筋用ラチス鉄筋１３の下側の各頂部１３ｂは、それぞれ、引張主鉄筋１２に該引張主鉄筋下部に位置するように溶接によって接合されている。このように、主鉄筋１１，１２にせん断補強を施してなる主鉄筋用ラチストラス鉄筋１０が構成されている。
【００１８】
図３は図１における配力鉄筋用ラチストラス鉄筋の正面図である。
【００１９】
図３に示すように、各配力鉄筋用ラチストラス鉄筋２０は、直線状をなして上下に前記主鉄筋用ラチストラス鉄筋１０よりも狭い所要間隔で平行配置された上側の圧縮配力鉄筋２１と下側の引張配力鉄筋２２と、この圧縮配力鉄筋２１と引張配力鉄筋２２とを交互に結ぶように連続波型状に形成されて延びる配力筋用ラチス鉄筋２３とによって構成されている。
【００２０】
そして、本実施形態では、圧縮配力鉄筋２１と引張配力鉄筋２２間に配力筋用ラチス鉄筋２３が挟まれる状態で、配力筋用ラチス鉄筋２３の上側の各頂部２３ａは、それぞれ、圧縮配力鉄筋２１に溶接によって接合され、配力筋用ラチス鉄筋２３の下側の各頂部２３ｂは、それぞれ、引張配力鉄筋２２に溶接によって接合されている。このように、配力鉄筋２１，２２にせん断補強を施してなる配力鉄筋用ラチストラス鉄筋２０が構成されている。
【００２１】
図４は図１の構造鉄筋のＡ矢視正面図、図５は図１の構造鉄筋のＢ矢視側面図である。
【００２２】
そして、本実施形態による鉄筋コンクリート版は、前記のように構成される多数の主鉄筋用ラチストラス鉄筋１０と多数の配力鉄筋用ラチストラス鉄筋２０とを備え、これら多数の主鉄筋用ラチストラス鉄筋１０と多数の配力鉄筋用ラチストラス鉄筋２０とを、図４，図５に示すように、並列配置されている主鉄筋用ラチストラス鉄筋１０に該各主鉄筋用ラチストラス鉄筋１０のほぼ三角形状をなす開口部を通るように配力筋用ラチストラス鉄筋２０を該配力筋用ラチストラス鉄筋全長にわたって貫き通した状態で、格子状に交差させることにより、構造鉄筋を構成するようにしている。
【００２３】
よって、予め、工場で主鉄筋用ラチストラス鉄筋１０及び配力鉄筋用ラチストラス鉄筋２０を製作しておき、これらを用いることにより、現場において、せん断補強が施された構造鉄筋を容易に組み立てることができるので、せん断補強が施された鉄筋コンクリート版を容易に製作することができる。そして、本発明による鉄筋コンクリート版は、床版として好適である。
【図面の簡単な説明】
【００２４】
【図１】本発明の一実施形態による鉄筋コンクリート版の構造鉄筋を示す平面図である。
【図２】図１における主鉄筋用ラチストラス鉄筋の正面図である。
【図３】図１における配力鉄筋用ラチストラス鉄筋の正面図である。
【図４】図１の構造鉄筋のＡ矢視正面図である。
【図５】図１の構造鉄筋のＢ矢視側面図である。
【図６】従来の鉄筋コンクリート版の構造鉄筋を示す平面図である。
【図７】図６の構造鉄筋のＡ矢視正面図である。
【符号の説明】
【００２５】
１０…主鉄筋用ラチストラス鉄筋
１１…圧縮主鉄筋
１２…引張主鉄筋
１３…主筋用ラチス鉄筋
２０…配力鉄筋用ラチストラス鉄筋
２１…圧縮配力鉄筋
２２…引張配力鉄筋
２３…配力筋用ラチス鉄筋
３０…コンクリート
【図１】
2010101044.tif 000003
【図２】
2010101044.tif 000004
【図３】
2010101044.tif 000005
【図４】
2010101044.tif 000006
【図５】
2010101044.tif 000007
【図６】
2010101044.tif 000008
【図７】
2010101044.tif 000009